(57)【要約】【課題】  密封袋のチャックの溝に内容物が詰まるのを防いで密封力を維持し、内容物の取り出しを容易にする密封袋を提供する。【解決手段】  密封袋１の内部のチャック３より内側に、外側に展開されることでチャック３の溝を覆い、溝の中に内容物が詰まるのを防ぐシート４を備えた。【選択図】  図２
2008174286.tif 000002
【特許請求の範囲】
【請求項１】
内容物を密封するためのチャックを備えた袋本体と、
前記袋本体内部のチャックより内側に接着固定され、内容物を取り出す際に外側に展開されることで前記チャックの溝を覆うシートと、を備えた密封袋。
【請求項２】
前記シートは、接着面の反対側の面に、シートの展開する際のつまみをさらに備えた請求項１記載の密封袋。
【請求項３】
前記シートは、展開時に袋本体の開口部より外側に出るような大きさを有している請求項１記載の密封袋。
【発明の詳細な説明】
【技術分野】
【０００１】
本発明は、密封袋の密封性に関するものである。
【背景技術】
【０００２】
従来の密封袋は、袋の口付近内側両面に密封を可能とするために合成樹脂製のチャックが対向して備え付けられており、両面を重ねて指でチャックを押さえてかみ合わせることによって、袋内への空気の出入りを遮断し、密封を可能としていた。そして、内容物が粉状の物の場合はスプーンですくうか、袋を傾けて内容物を取り出していた。
【０００３】
例えば、上述した技術は特許文献１〜４に示されている。
【特許文献１】特許２６９９２１７号公報
【特許文献２】特開２００３−１７５９４５号公報
【特許文献３】実開平０６−０５９２３７号公報
【特許文献４】特開平０６−２８６７５９号公報
【発明の開示】
【発明が解決しようとする課題】
【０００４】
密封袋のチャックは溝を有し、これらのかみ合わせで密封を可能としていた。しかし、密封袋を傾けて内容物を取り出そうとすると内容物は密封袋の内部を滑りながら移動する。この時、チャック溝部上を内容物が通過することになる。その際、内容物が粉状のものであった場合は、チャック溝部に内容物がつまってしまっていた。そして、内容物がつまったままチャックをかみ合わせてもチャック溝部に隙間が生じてしまい、密封袋の気密性の低下を招いていた。
【０００５】
さらに、内容物がチャックの溝につまったままでのチャック部のかみ合わせを繰り返すと、溝に詰まる内容物の量が増加すると同時にチャックをかみ合わせる際の圧力により溝に詰まった内容物が圧縮されて硬くなってしまう。そして、硬くなった内容物はチャック溝部を埋めてしまうので、チャックのかみ合わせができなくなり、密封袋を閉じることもできなくなっていた。
【０００６】
また、チャック部より外側についた内容物は袋の中に戻らず、拭き取らなければそのままになる。これは衛生的にも悪く内容物の損失も増えてしまう。
【０００７】
本発明はこのような従来の問題を解決しようとするもので、内容物がチャックの溝部に詰まるのを防止し、同時に内容物の取り出しを容易にするものである。
【課題を解決するための手段】
【０００８】
本発明は密封袋のチャックより内側にチャックの溝を覆うためのシートを密封袋の内部に取り付けることによって上記課題を解決したものである。また、シートには展開を容易にするつまみ部も設けたものがある。
【発明の効果】
【０００９】
本発明によれば密封袋を開封後に中のシートを取り出し、内容物をそのシートの上を通過させてとりだすことによりチャック部に内容物が付着しないので良い密封状態が保たれる。
【００１０】
またシートが開口部より外側にでていれば、密封後にチャック部より開口部側に内容物が残らないので内容物の損失を抑えることができ、さらに衛生的にも安全性を高めることができる。
【発明を実施するための最良の形態】
【００１１】
以下、図面を参照しながら、本発明の実施形態に係る密封袋について詳細に説明する。本実施形態の密封袋１は、図１に示されるように、合成樹脂製の袋本体２、袋本体２の開口部付近に設けられた合成樹脂製のチャック３、袋本体２の内部であってチャック３よりさらに内側に設けられたシート４で構成されている。
【００１２】
チャック３はかみ合わせるための溝を有し、チャックの一端から他端までを密封袋の外側から指で押さえることによって、袋本体２の内部を密封することができる。また、袋本体２は合成樹脂製の２枚のシートの三辺を貼り合わせて袋状とした形状をしている。シート４は袋本体２との接着のための接着面６、シート４を袋本体２から外側に展開しやすくするためのつまみ７、シート４の展開をスムーズにするためのヒンジ部８を持つ。
【００１３】
シート４は、五角形状に形成され、その幅は、袋本体２の横幅よりも若干短く、縦は、シート４が外側に展開された際に、袋本体２の開口部よりも外側に出るように長さを有している。接着面６は、袋本体２の横幅よりも若干短い長さで、シート４の幅方向全体にわたって設けられている。また、接着面６は、チャック３の内側に隣接して袋本体２の内面に接着される部分であり、シート４を外側に展開したときに、シート４によりチャック３のほぼ全体を覆うことができる。
【００１４】
つまみ７は厚さ１ｍｍ以下で１辺１ｃｍ程度の四角形状をしており、シート４の接着面と反対側の面の中央部分に、その一辺が接着されて固定されている。ヒンジ部８は共蓋ＰＳＰ容器と呼ばれる納豆用の容器等にも使われている開封を容易にするものと同型であり、接着面６に隣接する形で設けられている。そこを軸としてシート４を１８０度折り曲げることによって、シート４を袋本体２の開口部より外側に展開、袋本体２内部に収納するのが容易となる。図１の状態はシート４を収納した状態である。
【００１５】
シート４の材質は展開時に一定の形を保てる強度のあるものが好ましい。例えば、軟質プラスチック等である。
【００１６】
次に、本実施形態に係る密封袋２の製造方法について説明する。まず、チャック３を有する袋本体２とシート４を個別に製作する。そして先に示したシート４の接着面６を袋本体２のチャック３より内側に熱溶着、接着剤等の方法で接着することで本発明の実施形態が完成する。
【００１７】
続いて、本実施形態に係る密封袋２の使用方法について説明する。ここでは、既に袋本体２内に粉状内容物が入っているとする。密封袋１の使用者は、図２に示すように、まず袋本体２を開封後、シート４に付属のつまみ７を指でつまみ、ヒンジ部８を軸としてシート４を密封袋１の開口部より外側に展開する。そして、内容物を取り出したい受皿などの上にそのシート４の先端が来るように密封袋を移動させ、密封袋を傾け、または同時に振動させる。
【００１８】
すると、内容物はシート４の中央が凹むことによって形成されるガイド５に沿って安定して取り出される。ガイド５は袋本体２の開口部を楕円形〜円形状に開口することで使用時に適した深さに形成される。そして、シート４がチャック１を覆う形で展開しているので、チャック１の溝部に内容物が付着しない。そのためチャック１の機能を害せず、密封袋の気密性が保たれる。また、シート４が、袋本体２の開口部よりも外側に出るような大きさを有しており、チャック３よりも外側の袋本体２内面に内容物が付着することも防止できる。
【００１９】
以上、本実施形について詳細に説明したが、本発明の実施形態は、上記実施形態に限定されるものではなく、本発明の主旨を逸脱しない範囲内で種々の変形が可能である。例えば、本発明の変形例を以下に示す。
変形例１を図３に示す。変形例１は密封袋の片面に取り付けられていたシート４を両面に取り付けたものである。これによりどちらのシート４も使えるので、使用時に密封袋の向きを確認する必要がなくなる。
【００２０】
変形例２を図４に示す。変形例２はシート４の形状を筒型にし、接着面６を密封袋の内部に周回状に取り付けたものである。シート４が筒型になったことにより、内容物はシート４の先端からでるまではシート４に包まれている状態になる。これによって、さらに安定して内容物を取り出すことができる。また、変形例１の効果も持っている。
【産業上の利用可能性】
【００２１】
上述の発明はきなこ、ココア等の粉末食品等を保存する場合に特に有効である。
【図面の簡単な説明】
【００２２】
【図１】実施形態の密封袋の構成を示す図である。
【図２】実施形態の密封袋の使用時の展開図である。
【図３】本実施形態の変形例１を示す図である。
【図４】本実施形態の変形例２を示す図である。
【符号の説明】
【００２３】
１  密封袋
２  袋本体
３  チャック
４  シート
５  ガイド部
６  接着面
７  つまみ
８  ヒンジ部
【図１】
2008174286.tif 000003
【図２】
2008174286.tif 000004
【図３】
2008174286.tif 000005
【図４】
2008174286.tif 000006
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
内容物を密封するためのチャックを備えた密封袋本体と、
前記袋本体内部のチャックより内側に前記袋本体の横幅よりも若千短い長さで幅方向全体にわたって接着固定され、内容物を取り出す際に外側に展開されることで前記チャックの溝を覆うシートであって、前記袋本体内部の両面に接着固定された２枚のシートと、を備えた密封袋。
【手続補正２】
【補正対象書類名】明細書
【補正対象項目名】０００８
【補正方法】変更
【補正の内容】
【０００８】
本発明は密封袋のチャックより内側に袋本体の横幅よりも若千短い長さで幅方向全体にわたって接着固定され、内容物を取り出す際に外側に展開されることでチャックの溝を覆う２枚のシートを、密封袋の内部両面に取り付けることによって上記課題を解決し、使用時の利便性の向上を図ったものである。
【手続補正３】
【補正対象書類名】明細書
【補正対象項目名】００２０
【補正方法】削除
【補正の内容】
【手続補正４】
【補正対象書類名】明細書
【補正対象項目名】００２２
【補正方法】変更
【補正の内容】
【００２２】
【図１】実施形態の密封袋の構成を示す図である。
【図２】実施形態の密封袋の使用時の展開図である。
【図３】本実施形態の変形例１を示す図である。
【手続補正５】
【補正対象書類名】図面
【補正対象項目名】図４
【補正方法】削除
【補正の内容】